(57)【特許請求の範囲】
【請求項１】
色ホイールを入来ビデオ信号に同期するための色ホイール同期信号を発生する方法であって、上記ビデオ信号はピクセルクロックでサンプリングされて一連のインターレースフィールドから垂直同期信号に従って分離された一連のフレームに変換されており、上記色ホイールは１回転当たり少なくとも１つのインデックス信号を発生するようになっている方法において、
上記色ホイールと上記フレームとの間で可能な位相差を生じさせる入力信号を受けること、
上記インデックス信号を上記垂直同期信号と比較し、それによって位相誤差値を与えること、
上記ピクセルクロックを１ライン当たりのピクセル数の４分の１で分周し、それによって分周されたピクセルクロック信号を与えること、
上記位相誤差値を２フレーム当たりのライン数に加えること、
上記分周されたピクセルクロック信号を上記加算の結果で分周し、それによって上記色ホイール同期信号を与えること、
のステップからなることを特徴とする色ホイール同期信号発生方法。
【請求項２】
表示システムで色ホイールのための色ホイール同期信号を発生する位相誤差制御装置であって、上記表示システムは入来ビデオ信号をピクセルクロックでサンプリングしかつこのサンプリングしたデータを一連のインターレースフィールドから垂直同期信号に従って分離された一連のフレームに変換し、上記色ホイールは１回転当たり一度インデックス信号を発生するような位相誤差制御装置において、
可能な位相差が上記一連のフレームと上記色ホイールとの間で生じるように上記入来ビデオ信号をスイッチさせる入力信号を受けるように動作可能な制御回路と、
上記インデックス信号を上記垂直同期信号と比較し、それによって位相誤差値を与える位相比較器と、
上記位相比較器から上記位相誤差値を受け、１フレーム当たりのライン数の２倍を表す値に上記位相誤差値を加えるアダーと、
上記ピクセルクロックを１ライン当たりのピクセル数の４分の１で分周する第１のＮ分周カウンタと、
上記第１のＮ分周カウンタの出力を上記アダーの出力で分周する第２のＮ分周カウンタと、
からなることを特徴とする位相誤差制御装置。
【発明の詳細な説明】
【０００１】
【発明の属する技術分野】
本発明は、画像表示システムに関し、より詳細には、色ホイールを用いるデジタル画像表示システムに関する。
【０００２】
【従来の技術】
空間光変調器（ＳＬＭ）に基づく画像表示システムは陰極線管（ＣＲＴ）に基づく画像表示システムとは別形態のものである。ＳＬＭシステムはＣＲＴシステム程の嵩張りがなく高い解像度を与える。
【０００３】
デジタルマイクロミラー装置（ＤＭＤ）はＳＬＭの一形式のものであり、直接的な表示を与えるため、あるいは投影表示器のために使用されてもよい。ＤＭＤは何百あるいは何千の小さな傾斜するミラーからなるアレイを有し、各ミラーは画像の１つのピクセルのための光を与える。ミラーを傾斜できるようにするため、各ミラーは支持支柱に装着された１つあるいはそれ以上のヒンジに取り付けられ、下側の制御回路の上方に流体（気体または液体）ギャップによって隔てられている。この制御回路は、各ミラーを選択的に傾斜させる静電的な力を与える。表示器としての適用の場合は、画像データはＤＭＤのメモリセルにロードされ、このデータに従って、ミラーは投影レンズのヒトミに光を反射しあるいはそのヒトミから画像平面に光を偏向させるように傾斜されるようになっている。
【０００４】
ＳＬＭ表示システムにおいて色画像を与える１つの手法は「順次（シーケンシャル）色」方式と呼ばれている。画像の１つのフレームの全てのピクセルは異った色で順次にアドレスされる。例えば、各ピクセルが赤、緑および青の値を持っているものとする。次いで、各フレーム期間の間、そのフレームのピクセルはそれらの赤、緑次いで青のデータで交互にアドレスされる。これら同じ色のセグメントを有する色ホイールはそれらデータと同期され、各色のためのデータがＳＬＭによって表示される際に、ＳＬＭに入射する光が色ホイールによって濾光されるようになる。標準表示速度に対して、画像は適切な色を有するものとして目で認識されるようになる。
【０００５】
多くの色ホイール表示システムにおいて、入来ビデオ信号の垂直同期信号は色ホイールを駆動するために使用される。チャンネル変化が生じる時に、垂直同期信号は色ホイールに関して新たな位相を有することになる。この同期の問題は、入来信号、色ホイールおよび表示されるデータを同期するものとなる。
【０００６】
テキサスインスツルメント社の出願に係わる「空間光変調器を用いる投影表示器のための色位相制御」と題する米国特許第５，３６５，２８３号の明細書は入来信号および色ホイールを同期する方法を記載している。本質的に、この方法は、垂直同期信号ではなく水平同期信号から作られた信号で色ホイールを駆動することを含んでいる。
【０００７】
【発明が解決しようとする課題】
色ホイールを用いるＳＬＭベースの画像表示システムにおいて、色ホイールを制御して、入来ビデオ情報の位相を破壊する、チャンネル変化のような事象時に生じる可能性がある画像効果を減少することが本発明が解決しようとする課題である。
【０００８】
【課題を解決するための手段】
本発明の１つの特徴は色ホイールを入来ビデオ信号に同期する方法にある。この方法は任意の形式の入来ビデオ信号のために使用されることができ、あるパラメータがインターレース対非インターレース信号に対しておよび異ったライン解像度およびフレーム速度を有する信号に対して変えられる。この方法はピクセルサンプルクロック、垂直同期信号ならびに位相および速度を指示するため色ホイールによって与えられるインデックス信号を有する色ホイール表示システムを想定している。それは色ホイール同期信号を与え、この色ホイール同期信号は、インデックス信号を色ホイール同期信号に位相ロックすることによって色ホイールの速度を決定する。
【０００９】
インターレース信号に対してこの方法を用いる例として、ピクセルクロック信号は１ライン当たりのピクセル数の１／４で分周され、それによって分周されたピクセルクロック信号を与える。インデックス信号あるいは別態様としての色ホイール同期信号は垂直同期信号と比較され、色ホイールおよび入来ビデオ信号が同相であるかどうかが決定され、それによって位相誤差値を与える。次いで、この位相誤差値は２つのフレームのライン数に加えられる。この和は分周されたピクセルクロック信号を更に分周するために使用され、それによって色ホイール同期信号を与える。
【００１０】
本発明の利点は、チャンネル変化のような位相変化事象から生じる位相誤差を制御するため外部制御ループを加えていることである。この結果モータ速度は厳密に制御され、位相変化時の可視的な画像効果が最少にされる。また、色ホイール同期信号は垂直同期信号ではなくピクセルクロックから得られるため、過渡時間は減少される。
【００１１】
【発明の実施の形態】
以下の記載はＳＬＭあるいは他のピクセルアレイ表示装置によって発生される画像を表示する表示システムに関連している。用語「ピクセルアレイ表示装置」は、個々にアドレスされるピクセルを用いて表示を発生する任意の形式のアレイを含むように広い意味で使用される。従って、例えば、この表示装置は液晶アレイであってもよい。しかしながら、本発明はこのような装置に限定されず、順次の色表示のため色ホイールを使用する任意の表示システムと共に使用され得る。例えば、本明細書で記載されるデータは、画像が色ホイールによって濾光される白光ＣＲＴによる使用のためアナログ信号に変換されることができる。
【００１２】
図１は、本発明に従って色ホイール１５を用いる典型的なＳＬＭベースの画像表示システム１０のブロック図である。以下に説明するように、本発明は、入来ビデオ情報の位相を破壊する、チャンネル変化のような事象時に他に生じる可能性がある画像効果を減少するように色ホイール１５を制御するように向けられる。
【００１３】
表示システム１０の種々の構成要素の以下の記載は本発明の理解にとって有用な詳細な説明を与える。他の形式の色ホイールを備えたＤＭＤベースの画像表示システム関する一層の詳細は、「標準的な単独デジタル化ビデオシステム」と題する米国特許第５，０７９，５４４号、「デジタルテレビジョンシステム」と題する米国特許出願第０８／１４７，２４９号および「ＤＭＤ表示システム」と題する米国特許出願第０８／１４６，３８５号の明細書に記載されている。ＳＬＭベースの表示システムのための色ホイールの一般的な動作の一層の詳細は、「白色光増強色フィールド逐次的投影」と題する米国特許第５，２３３，３８５号、「順次色画像化のための方法および装置」と題する米国特許出願第０８／１７９，０２８号および「色ホイールのためのデジタルモータ制御器」と題する米国特許出願第０８／３３９，３７３号の明細書に記載されている。これら特許および特許出願のそれぞれはテキサスインスツルメント社によって出願され、それぞれは本願明細書に参照のため組み入れられる。
【００１４】
信号インターフェイス１１はある種類の入力信号を受ける。本明細書において例示の目的のため、入力信号は水平および垂直同期成分を有する標準ＮＴＳＣビデオ信号であるものと想定している。しかしながら、他のシステムにおいては、入力信号は既にデジタル化されているグラフィックデータであってもよい。この信号は、ビデオ情報が垂直同期信号に従って分割されたフィールド対フィールドに配列されている点で、「フィールド順次」である。
【００１５】
ビデオ入力信号の場合に、インターフェイス１１はビデオ信号を同期およびオーディオ信号から分離する。それはＡ／Ｄ変換器とＹ／Ｃ分離器とを含み、これらはデータをピクセルデータサンプルに変換し、ルミナンスデータをクロミナンスデータから分離する。信号は、Ｙ／Ｃ変換あるいはＹ／Ｃ分離がデジタル化に先立ってなされる前に、デジタルデータに変換され得る。
【００１６】
ピクセルデータ処理器１２は種々の処理を行うことによって表示のためのデータを用意する。処理器１２は処理の間にピクセルデータを記憶するための処理メモリを含む。処理器１２によって行われる処理は線形化、色空間変換および前走査を含んでもよい。線形化は、ＣＲＴ表示器の非線形動作を補償するために放送用信号について行われるガンマ補正の影響を除去する。色空間変換はデータをＲＧＢデータに変換する。前走査は、奇数あるいは偶数ラインに満たすために新たなデータを発生することによって、データのインターレースフィールドをフレームに変換する。これら処理がなされる順序は変えられてもよい。
【００１７】
表示メモリ１３は処理器１２からの処理されたピクセルデータを受ける。表示メモリ１３は、入力あるいは出力でのデータを「ビット平面」フォーマットにフォーマット変換し、ビット平面をＳＬＭ１４に供給する。ビット平面フォーマットはＳＬＭ１４の各ピクセルに対して一度に１ビットを与え、各ピクセルがそのビットの重みに従ってオンあるいはオフになることができるようにする。例えば、各ピクセルが３つの色のそれぞれに対してｎ個のビットによって表される場合、１フレーム当たり３ｎ個のビット平面が存在することになる。より低い有意ビットを含むビット平面はより高い有意ビットを含むビット平面よりも表示時間が短くなる。０（黒）のピクセル値ではフレームの間にその色に対してピクセルがオフとなってしまう。各色に対して、ＳＬＭ１４の各ミラー素子は１つのＬＳＢ期間から（２のｎ乗−１）のＬＳＢ期間までのどの期間の間でもオンになることができる。換言すれば、各色は（２のｎ乗−１）回のスライスを有し、その間に任意のピクセルは０と（２のｎ乗−１）との間の任意の回数のスライスに対してオンになることができる。
【００１８】
典型的な表示システム１０において、メモリ１３は二重バッファメモリであり、これはそのメモリが少なくとも２つの表示フレームに対する容量を有することを意味する。１つの表示フレームに対するバッファは、他の表示フレームに対するバッファが書き込まれている間にＳＬＭ１４に読み出されることができる。２つのバッファは、データがＳＬＭ１４にとって連続して利用可能になるように「ピンポン」の態様で制御される。
【００１９】
ＳＬＭ１４はどのような形式のＳＬＭであってもよい。例示の目的のため、この記載は、ＳＬＭ１４がデジタルマイクロミラー装置（ＤＭＤ）であるような表示システムに関連している。しかしながら、上述したように、同じことを他の形式のＳＬＭあるいは他の画像発生装置を使用する表示システムに適用できる。
【００２０】
ＳＬＭ１４での入射光は光源１６によって与えられ、回転する色ホイール１５を介して伝達される。レンズ１７ａは光源の光ビームの形の光源の照明を、色ホイール１５の面での「スポット寸法」に焦点決めする。レンズ１７ｂはＳＬＭ１４に光を向ける。
【００２１】
図１の例において、色ホイール１５はそれぞれが異った原色である３つのフィルタセグメントを有する。本明細書において例示の目的のため、これら色は赤、緑および青である。別の実施例では、他の色が使用でき、３つ以下あるいはそれ以上の色が使用できる。また、各色に対して１つ以上のセグメントを用いることができる。これらセグメントは所望の色のバランス応じて実際には同じ寸法である必要はない。
【００２２】
「従来の技術」の欄で上述したように、各色のためのデータは順次（シーケンシャル）にされ、データの表示は、光をＳＬＭ１４に伝達させている色ホイール１５の部分が表示されているデータに対応するように同期される。この記載の例において、各ピクセルはＲＧＢデータによって表され、これは各ピクセルが赤値、緑値および青値を有することを意味する。１つのフレームの全てのピクセルの各色に対する値が表示される際に、光が対応する赤、緑あるいは青のフィルタを通して伝達されるように色ホイール１５が回転する。各色に対して、これら３つの値の組み合せが所望の色として認識される。
【００２３】
色ホイール１５は、これを回転させるモータ１５ａによって駆動されるシャフト１５ｂに取り付けられている。モータ制御ユニット１５ｃは色ホイール１５の速度および位相を制御する。１つのデータフレームがＴ秒のフレーム期間の間表示される場合、色ホイール１５はＴ秒の回転周期を有する。例えば、所望の速度は１秒当たり６０フレームの表示速度に対応する１秒当たり６０回転となる。
【００２４】
色ホイール１５および表示されているデータが「同相」である時には、色ホイール１５の適当なフィルタ（赤、緑あるいは青）は、そのフィルタのためのデータが表示されている際にＳＬＭ１４からの光を伝達している。テキサスインスツルメント社に与えられた「空間光変調器を用いる投影表示器の色位相制御」と題する米国特許第５，３６５，２８３号の明細書（本明細書において参照のため組み込まれる）は色ホイール１５と表示されるデータとの間で同相関係を維持するようにポインタを用いる方法を記載している。主タイミングユニット１８は種々のシステム制御機能を与える。主タイミングユニット１８によって与えられる１つのタイミング信号はピクセル値の各ビットの重みのための表示時間を定める信号である。
【００２５】
図１には示されていないが、システム１０はＳＬＭ１４から画像平面（スクリーン）に画像を収集しかつ投影するための投影レンズおよび種々の他の光学的装置をも含んでいる。
【００２６】
図２は色ホイール１５と入来ビデオデータとの同期に関連した種々の信号のタイミング図である。図２は前のビデオデータに関して新たなビデオデータの勝手な位相変化となってしまうチャンネル変化を含んでいることを示している。チャンネル変化の直後に、チュナーが新たな信号にロックする前の遅延が存在する。
【００２７】
「ビデオデータ」のラインは入来データのフィールドのタイミングを含む。この記載の例において、入来データは標準ＮＴＳＣ信号からサンプリングされており、各入来フィールド（フィールド当たり２６２．５本のライン）は「ＤＭＤデータ」の１つのフレーム（フレーム当たり５２５本のライン）に変換されている。
【００２８】
垂直同期信号（ＶＳＹＮＣ）はデータのフレームを分離し、１秒当たり５９．９４のフレーム周波数を有している。図２において、ＶＳＹＮＣ信号はチャンネル変化後の位相変化を反映する。前のチャンネルに対するデータの終了はフレームＮ＋１、Ｎ＋２およびフレームＮ＋３の部分として到達した。チャンネル変化の後に、新たなチャンネルのためのデータはフレームＸ、Ｘ＋１、Ｘ＋２、・・・・・として到達している。新たなチャンネルのデータのｎフレームが到達した後に、ＶＳＹＮＣおよびインデックス信号は再同期される。
【００２９】
図３はモータ制御ユニット１５ｃをより詳細に示す。このモータ制御ユニット１５ｃは２つの主構成要素、すなわち誤差制御ユニット３１と駆動制御ユニット３３とを有する。以下に説明するように、誤差制御ユニット３１は位相誤差を制御し、制御ユニット３３を駆動するように色ホイール同期信号（ＣＷＳＹＮＣ）を与える。駆動制御ユニット３３は色ホイール１５での位置センサ３５によって与えられるインデックス信号をＣＷＳＹＮＣ信号に位相ロックする。インデックス信号は色ホイール１５の速度および位相を指示する。この記載の例において、インデックスパルスが１回転当たり１回発生される。
【００３０】
図４は誤差制御ユニット３１およびそのＣＷＳＹＮＣ出力をより詳細に示す。一般的に、ＣＷＳＹＮＣ信号は、位相誤差値によって調節される第２の分周器でピクセルクロック（ＰＩＸＣＬＫ）信号を２分周することによって誘導される一連のパルスである。より詳細には、第１のＮ（Ｎは分周比）分周カウンタ４１はＨＳＹＮＣ信号の倍数のものを得るためにライン当たりのピクセル数から与えられる値で分周する。第２のＮ（Ｎは分周器）分周カウンタ４６はフレーム当たりのライン数の倍数プラスあるいはマイナス位相誤差値で分周する。この結果はＣＷＳＹＮＣ信号となり、これはＶＳＹＮＣ信号よりも大きいかあるいは小さいある増分である期間を有する。
【００３１】
ＮＴＳＣデータに向けられるこの例において、第１のＮ分周カウンタ４１は１９５で分周し、これはライン当たりのピクセル数を４で割った（７８０／４＝１９５）ものである。第２のＮ分周カウンタ４６は２フレームのライン数（２×５２５＝１０５０）プラスあるいはマイナス位相誤差値で分周する。他の実施例も可能である。例えば、カウンタ４１は３９０（７８０／２＝３９０）で分周してもよく、カウンタ４６は１フレームのライン数（５２５）プラスあるいはマイナス位相誤差値で分周してもよい。または、カウンタ４１は７８０で分周してもよく、カウンタ４６は１フィールドのライン数（２６２．５）プラスあるいはマイナス位相誤差値で分周してもよい。これら実施例は、それぞれが位相誤差によって調節されるものを除きＶＳＹＮＣ信号と同じであるＰＩＸＣＬＫ信号から得られる信号となるため、等価なものと考えられる。
【００３２】
このようにして、この実施例において、比カウンタ４２は２つのフレームのライン数（２×５２５＝１０５０）をカウントする。比カウンタ４２は、ＮＴＳＣビデオ信号のようなフレーム当たり５２５本のラインを実際上有しない規準化されていないビデオを処理可能とする。誤差制御ユニット３１がＮＴＳＣビデオ信号だけに設計されたものであった場合には、比カウンタ４２は省略でき、アダー４４は位相比較器４３によって与えられる位相誤差値に単純に１０５０を加える。カウント処理はＶＳＹＮＣ信号間でＨＳＹＮＣ信号をカウントすることによって達成される。
【００３３】
Ｎ分周カウンタ４１はＰＩＸＣＬＫ信号を受け、これはビデオデータのためのサンプルクロックであり、ＨＳＹＮＣに位相ロックされている。この記載のＮＴＳＣの例において、ＰＩＸＣＬＫ信号はＨＳＹＮＣ信号の７８０倍であり、ここで７８０の数値は１ライン当たりのピクセル数である。カウンタ４１はＰＩＸＣＬＫ信号を１９５すなわち７８０／４で分周する。この結果６２．９３７ＫＨｚのクロックとなり、これは１５．７３４ＫＨｚのＨＳＹＮＣ信号速度の４倍である。
【００３４】
位相比較器４３はＶＳＹＮＣの位相を色ホイール１５からのインデックス信号の位相、あるいは別態様でＣＷＳＹＮＣ信号の位相と比較する。図４の実施例において、スイッチ４８は位相比較器４３への入力としてＣＷＳＹＮＣおよびインデックス信号間の選択を可能にする。しかしながら、他の実施例においては、これら２つの信号の１つのみあるいは他方を入力として指定させることが可能である。
【００３５】
位相比較器４３が位相誤差を検出するならば、−１あるいは１の値が誤差の進みあるいは遅れに応じて発生される。位相誤差がなければ、０の値が発生される。アダー４４は位相誤差（−１、０あるいは１）を比カウンタ４２の出力に加える。本発明の別態様の実施例においては、位相誤差値はより大きな位相誤差に対して＋２あるいは−２であることも可能である。所定の位相誤差に対しては、このより大きな位相誤差値の範囲はより高速の再同期を与えるであろう。必要に応じて、インデックスおよびＶＳＹＮＣ信号の位相はデータのロードの遅延を可能にするようなオフセット値で意図的にオフセットされてもよい。
【００３６】
Ｎ分周カウンタ４６はＮ分周カウンタ４１の出力をＮで分周する。ここで、Ｎはアダー４４の出力である。この結果、５９．９４±△ＨｚのＣＷＳＹＮＣ信号が得られる。位相誤差がない場合には、ＣＷＳＹＮＣ信号はＶＳＹＮＣ信号と同じ速度となる。位相誤差がある場合には、ＣＷＳＹＮＣ信号はＶＳＹＮＣ信号よりわずかに速いかあるいは遅い。
【００３７】
再度図２を参照すれば、チャンネル変化後のＣＷＳＹＮＣ信号のわずかな進みが示されている。チャンネル変化時に、ＶＳＹＮＣおよびインデックス信号間の位相の整合が破壊される。その結果の誤差はＣＷＳＹＮＣ信号の周期を変更する。ＣＷＳＹＮＣ信号によって与えられる位相ランプ入力へのモータ駆動ユニット３３およびモータ１５ａの応答は一定速度の増大となり、これによりインデックス信号は制御された態様でＶＳＹＮＣ信号と再整合するようになる。換言すれば、ＣＷＳＹＮＣの周期へのわずかな調節は、インデックス信号がＶＳＹＮＣ信号と整合するまでインデックス信号を「遅れ」させ続ける。進み補正ではなく遅れ補正を行うように、ＣＷＳＹＮＣ信号は色ホイールの速度を遅くさせる。いずれの場合においても、ＮＴＳＣ信号に対して、チャンネル変化によるＣＷＳＹＮＣ信号の最悪の位相過渡状態は３１マイクロ秒（１ライン期間の半分）である。
【００３８】
図２および図４はまた表示されるデータでのＶＳＹＮＣ信号の位相変化の影響をも示している。図４に示されるように、シーケンス開始タイマ４７は、データがＳＬＭ１４にロードされる時を制御するようにインデックス信号から表示開始信号を発生する。図２を参照して、この記載の例において、開始信号はインデックス信号に対応するが、遅延が与えられ得る。常時、メモリ１３の読出しバッファおよび書込みバッファはＶＳＹＮＣ信号に従ってトグル操作される。１つのバッファが書き込まれている間に他のバッファが読み出される。チャンネル変化の後に、チュナーのロック時にノイズの期間があり、それに引き続いて過渡期間が生じ、その開始はＶＳＹＮＣ信号とは整合しない。再整合時に、開始信号はＳＬＭ１４にデータをロードし続ける。バッファが読出しから書込みにトグル動作すると、現在読出しを行っているどちらかのバッファは表示のためのデータを供給するバッファとなる。この結果、ＶＳＹＮＣ信号がインデックス信号に対応しない時間の間、適切な色、ビットシーケンスおよびピクセル位置が維持されるが、ピクセルデータは一時的に近接したフレームから取られる。
【００３９】
上記の例は、インターレースデータのための１秒当たり５９．９４フレームのＶＳＹＮＣ速度を有するＮＴＳＣ信号に関連している。同一の着想が、１秒当たり６０フレームのＶＳＹＮＣ速度、１秒当たり３１．５ラインのＨＳＹＮＣ速度、１ライン当たり８００ピクセルおよび２５．２ＭＨｚのＰＩＸＣＬＫを有するＶＧＡ信号に対して適用され得る。ＶＧＡ信号に対して、分周器４１は１ライン当たりのライン数を２で割った（８００／２＝４００）もので分周する。分周器４６は２フレームのライン数（１０５０）プラスあるいはマイナス誤差値で分周する。３１．５ＫＨｚのＨＳＹＮＣ信号が１フレーム当たりの正確なライン数を反映するため２での付加的な分周が分周器４１で行われる必要はない。分周器４１の出力は６３ＫＨｚの信号（２×ＨＳＹＮＣ）となり、分周器４６の出力は６０±△Ｈｚの信号となる。
【００４０】
誤差制御ユニット３１は、回復時間を最少にするようにＣＷＳＹＮＣ周波数を５９．９４Ｈｚ（ＮＴＳＣに対して）に密に制約する。これは、Ｎ分周カウンタ４６の最上桁のビットを０１００００に固定しかつアダー４４が６つの最小桁のビットを供給するようにすることによって行われ得る。これは、Ｎを６１．５２Ｈｚから５７．９６Ｈｚの範囲に対応する１０２４から１０８７の範囲に制約する。
【００４１】
本発明は特定の実施例に関連して記載されたが、この記載は限定的に解釈されるようには意図されない。開示された実施例の種々の変更、別態様の実施例は当業者にとって明かであろう。従って、特許請求の範囲は本発明の真の範囲内に入る全ての変更を含むことが意図される。
【００４２】
以上の説明に関し更に以下の項を開示する。
（１）  色ホイールを入来ビデオ信号に同期するための色ホイール同期信号を発生する方法であって、上記ビデオ信号はピクセルクロックでサンプリングされて一連のインターレースフィールドから垂直同期信号に従って分離された一連のフレームに変換されており、上記色ホイールは１回転当たり少なくとも１つのインデックス信号を発生するようになっている方法において、
上記色ホイールと上記フレームとの間で可能な位相差を生じさせる入力信号を受けること、
上記インデックス信号を上記垂直同期信号と比較し、それによって位相誤差値を与えること、
上記ピクセルクロックを１ライン当たりのピクセル数の４分の１で分周し、それによって分周されたピクセルクロック信号を与えること、
上記位相誤差値を２フレーム当たりのライン数に加えること、
上記分周されたピクセルクロック信号を上記加算の結果で分周し、それによって上記色ホイール同期信号を与えること、
のステップからなることを特徴とする色ホイール同期信号発生方法。
（２）  第１項記載の色ホイール同期信号発生方法において、上記位相誤差値を与える上記ステップは、上記インデックス信号ではなく上記色ホイール同期信号を上記垂直同期信号と比較することによって行われることを特徴とする色ホイール同期信号発生方法。
（３）  第１項記載の色ホイール同期信号発生方法において、上記分周されたピクセルクロック信号を与える上記ステップは、１ライン当たりのピクセル数の半分で分周することによって行われ、ライン数に加える上記ステップは１フレームのライン数を加えることによって行われることを特徴とする色ホイール同期信号発生方法。
（４）  第１項記載の色ホイール同期信号発生方法において、上記分周されたピクセルクロック信号を与える上記ステップは、１ライン当たりのピクセル数で分周することによって行われ、ライン数に加える上記ステップは１フィールドのライン数を加えることによって行われることを特徴とする色ホイール同期信号発生方法。
（５）  第１項記載の色ホイール同期信号発生方法において、上記位相誤差値は−１、０あるいは１であることを特徴とする色ホイール同期信号発生方法。
（６）  第１項記載の色ホイール同期信号発生方法において、上記色ホイール同期信号は、上記色ホイール同期信号を与える上記ステップの間に最上桁のビットを固定することによって速度範囲に制約されることを特徴とする色ホイール同期信号発生方法。
【００４３】
（７）  色ホイールを入来ビデオ信号に同期するための色ホイール同期信号を発生する方法であって、上記ビデオ信号はピクセルクロックでサンプリングされておりかつ垂直同期信号に従って分離された一連のフレームからなり、上記色ホイールは１回転当たり少なくとも１つのインデックス信号を発生するようになっている方法において、
上記色ホイールと上記一連のフレームとの間で可能な位相差を生じさせる入力信号を受けること、
上記インデックス信号を上記垂直同期信号と比較し、それによって位相誤差値を与えること、
上記ピクセルクロックを１ライン当たりのピクセル数の半分で分周し、それによって分周されたピクセルクロック信号を与えること、
上記位相誤差値を２フレーム当たりのライン数に加えること、
上記分周されたピクセルクロック信号を上記加算の結果で分周し、それによって上記色ホイール同期信号を与えること、
のステップからなることを特徴とする色ホイール同期信号発生方法。
（８）  第７項記載の色ホイール同期信号発生方法において、上記位相誤差値を与える上記ステップは、上記インデックス信号ではなく上記色ホイール同期信号を上記垂直同期信号と比較することによって行われることを特徴とする色ホイール同期信号発生方法。
（９）  第７項記載の色ホイール同期信号発生方法において、上記分周されたピクセルクロック信号を与える上記ステップは、１ライン当たりのピクセル数で分周することによって行われ、ライン数に加える上記ステップは１フレームのライン数を加えることによって行われることを特徴とする色ホイール同期信号発生方法。
（１０）  第７項記載の色ホイール同期信号発生方法において、上記位相誤差値は−１、０あるいは１であることを特徴とする色ホイール同期信号発生方法。
（１１）  第７項記載の色ホイール同期信号発生方法において、上記色ホイール同期信号は、上記色ホイール同期信号を与える上記ステップの間に最上桁のビットを固定することによって速度範囲に制約されることを特徴とする色ホイール同期信号発生方法。
【００４４】
（１２）  表示システムで色ホイールのための色ホイール同期信号を発生する位相誤差制御装置であって、上記表示システムは入来ビデオ信号をピクセルクロックでサンプリングしかつこのサンプリングしたデータを一連のインターレースフィールドから垂直同期信号に従って分離された一連のフレームに変換し、上記色ホイールは１回転当たり一度インデックス信号を発生するような位相誤差制御装置において、
可能な位相差が上記一連のフレームと上記色ホイールとの間で生じるように上記入来ビデオ信号をスイッチさせる入力信号を受けるように動作可能な制御回路と、
上記インデックス信号を上記垂直同期信号と比較し、それによって位相誤差値を与える位相比較器と、
上記位相比較器から上記位相誤差値を受け、１フレーム当たりのライン数の２倍を表す値に上記位相誤差値を加えるアダーと、
上記ピクセルクロックを１ライン当たりのピクセル数の４分の１で分周する第１のＮ分周カウンタと、
上記第１のＮ分周カウンタの出力を上記アダーの出力で分周する第２のＮ分周カウンタと、
からなることを特徴とする位相誤差制御装置。
（１３）  第１２項記載の位相誤差制御装置において、上記アダーへの入力のため１フレーム当たりの上記ライン数をカウントするための比カウンタを更に含んだことを特徴とする位相誤差制御装置。
（１４）  第１２項記載の位相誤差制御装置において、上記位相比較器は上記インデックス信号ではなく上記色ホイール同期信号を上記垂直同期信号と比較することを特徴とする位相誤差制御装置。
【００４５】
（１５）  表示システムで色ホイールのための色ホイール同期信号を発生する位相誤差制御装置であって、上記表示システムは入来ビデオ信号をピクセルクロックでサンプリングして垂直同期信号に従って分離された一連のフレームを与え、上記色ホイールは１回転当たり一度インデックス信号を発生するような位相誤差制御装置において、
可能な位相差が上記一連のフレームと上記色ホイールとの間で生じるように上記入来ビデオ信号をスイッチさせる入力信号を受けるように動作可能な制御回路と、
上記インデックス信号を上記垂直同期信号と比較し、それによって位相誤差値を与える位相比較器と、
上記位相比較器から上記位相誤差値を受け、１フレーム当たりのライン数の２倍を表す値に上記位相誤差値を加えるアダーと、
上記ピクセルクロックを１ライン当たりのピクセル数の半分で分周する第１のＮ分周カウンタと、
上記第１のＮ分周カウンタの出力を上記アダーの出力で分周する第２のＮ分周カウンタと、
からなることを特徴とする位相誤差制御装置。
（１６）  第１５項記載の位相誤差制御装置において、上記アダーへの入力のため１フレーム当たりの上記ライン数をカウントするための比カウンタを更に含んだことを特徴とする位相誤差制御装置。
（１７）  第１５項記載の位相誤差制御装置において、上記位相比較器は上記インデックス信号ではなく上記色ホイール同期信号を上記垂直同期信号と比較することを特徴とする位相誤差制御装置。
【００４６】
（１８）  モータ制御ユニット（１５ｃ）は色ホイール１５を入来ビデオ信号に同期し、チャンネル変化後に色ホイールを再同期する。このモータ制御ユニット（１５ｃ）は誤差制御ユニット（３１）を有し、これは位相外れ状態を検出し、位相誤差があればそれによって調節されるピクセルサンプルクロックから色ホイール同期信号を作る。駆動ユニット（３３）はこの同期信号を色ホイールによって与えられるインデックス信号に位相ロックする。この結果、厳密に制御される再同期が得られ、これは認められる画像効果を最小にする。
【図面の簡単な説明】
【図１】本発明に従った色ホイールモータ制御ユニットを有する表示システムのブロック図である。
【図２】図１の色ホイールの入来ビデオデータへの同期に関連した種々の信号のタイミング図である。
【図３】図１のモータ制御ユニットをより詳細に示す。
【図４】図３の誤差制御ユニットをより詳細に示す。
【符号の説明】
１０  画像表示システム
１１  信号インターフェイス
１２  ピクセルデータ処理器
１３  表示メモリ
１４  ＳＬＭ
１５  色ホイール
１５ａ  モータ
１５ｂ  シャフト
１５ｃ  モータ制御ユニット
１６  光源
１７ａ  レンズ
１７ｂ  レンズ
１８  主タイミングユニット
３１  誤差制御ユニット
３３  駆動制御ユニット
３５  位置センサ
４１  第１のＮ分周カウンタ
４２  比カウンタ
４３  位相比較器
４４  アダー
４６  第２のＮ分周カウンタ
４７  シーケンス開始タイマ
４８  スイッチ
【図１】
0003803426.tif 000002
【図２】
0003803426.tif 000003
【図３】
0003803426.tif 000004
【図４】
0003803426.tif 000005